(57)【要約】本発明は、それぞれ１つの一定の対象に付設される、送信／受信装置を有する少なくとも２つの対象モジュールと、それぞれ少なくとも１つのマイクロプロセッサを備える１つ又は複数の識別コード送信機とを有するキーレスアクセス許可コントロール装置であって、それぞれ１つの双方向のデータコミュニケーションパスを介して、データが識別コード送信機と対象モジュールとの間で伝達可能であり、これらのデータが、コード化アルゴリズム並びにそれぞれの対象モジュールに付設されたコード化パラメータを使用する対称なコード化プロシージャによってコード化されているアクセス許可コントロール装置に関する。公知の従来技術に対して、本発明による装置は、変化する境界条件への適合のための明らかに高い柔軟性を備える。何故なら、この装置の場合、最初から、少なくとも２つの異なったコード化アルゴリズムの使用が行なわれるからである。
2004531660.tif 000002
【特許請求の範囲】
【請求項１】
それぞれ１つの一定の対象に付設される、送信／受信装置（４，５）を有する少なくとも２つの対象モジュール（１，２）と、それぞれ少なくとも１つのマイクロプロセッサ（１１，１１’）を備える１つ又は複数の識別コード送信機（１０）とを有するキーレスアクセス許可コントロール装置であって、それぞれ１つの双方向のデータコミュニケーションパス（１４，１５）を介して、データが識別コード送信機（１０）と対象モジュール（１，２）との間で伝達可能であり、これらのデータが、コード化アルゴリズム並びにそれぞれの対象モジュール（１，２）に付設されたコード化パラメータ（Ｐ１，Ｐ２）を使用する対称なコード化プロシージャによってコード化されているアクセス許可コントロール装置において、
識別コード送信機（１０）内に存在する記憶要素（１２，１２’）内に、全部で２つ又は複数の異なったコード化アルゴリズム（Ａ１，Ａ２，…）が登録されており、これらのコード化アルゴリズムが、マイクロプロセッサ（１１，１１’）によって、選択的に、それぞれ応答する対象モジュール（１，２）に対するアロケーション部に呼出し可能であることを特徴とするアクセス許可コントロール装置。
【請求項２】
それぞれの対象モジュール（１，２）に対する使用すべきコード化アルゴリズム（Ａ１，Ａ２，…）のアロケーション部が、１回の初期化工程によって確定されていることを特徴とする請求項１に記載のアクセス許可コントロール装置。
【請求項３】
それぞれ１つの一定の対象に付設される、送信／受信装置を有する少なくとも２つの対象モジュール（１，２）と、１つ又は複数の識別コード送信機（１０）とを有するキーレスアクセス許可コントロール装置であって、それぞれ１つの双方向のデータコミュニケーションパス（１４，１５）を介して、データが識別コード送信機（１０）と対象モジュール（１，２）との間で伝達可能であり、これらのデータが、コード化アルゴリズム並びにそれぞれの対象モジュール（１，２）に付設されたコード化パラメータ（Ｐ１，Ｐ２）を使用する対称なコード化プロシージャによってコード化されているアクセス許可コントロール装置において、
少なくとも１つの対象モジュール（１，２）内に存在する記憶要素（８，９）内に、２つ又は複数の異なったコード化アルゴリズム（Ａ１，Ａ２，…）が登録されており、その際、それぞれ使用すべきコード化アルゴリズムが、使用される識別コード送信機（１０）に対するアロケーション部内で確定可能であることを特徴とするアクセス許可コントロール装置。
【請求項４】
それぞれの識別コード送信機（１０）に対する使用すべきコード化アルゴリズムのアロケーション部が、１回の初期化工程によって確定されていることを特徴とする請求項３に記載のアクセス許可コントロール装置。
【請求項５】
対象に付設される、送信／受信装置（４，５）を有する対象モジュール（１，２）とデータを交換するためのキーレスアクセス許可コントロール装置のための識別コード送信機であって、これらのデータが、マイクロプロセッサ（１１，１１’）内で、コード化アルゴリズム並びにそれぞれの対象モジュール（１，２）に付設されたコード化パラメータ（Ｐ１，Ｐ２）を使用する対称なコード化プロシージャによってコード化されている識別コード送信機において、
記憶要素（１２，１２’）内に、全部で２つの又は複数の異なったコード化アルゴリズム（Ａ１，Ａ２，…）が登録されており、これらのコード化アルゴリズムが、マイクロプロセッサ（１１，１１’）によって、選択的に、それぞれ応答する対象モジュール（１，２）に対するアロケーション部に呼出し可能であることを特徴とする識別コード送信機。
【請求項６】
少なくとも１つの記憶要素（１２，１２’）内に登録されたコード化アルゴリズム（Ａ１，Ａ２）が、プログラミングインターフェースを介して操作可能及び／又は交換可能であることを特徴とする請求項５に記載の識別コード送信機。
【請求項７】
少なくとも１つの記憶要素（１２，１２’）が、付設されるマイクロプロセッサ（１１，１１’）内に統合されていることを特徴とする請求項５又は６に記載の識別コード送信機。
【請求項８】
識別コード送信機（１０）とデータを交換するための送信／受信装置（４，５）を有するキーレスアクセス許可コントロール装置のための対象モジュールであって、これらのデータが、コード化アルゴリズム並びに対象モジュールに付設されたコード化パラメータ（Ｐ１，Ｐ２）を使用する対称なコード化プロシージャによってコード化されている対象モジュールにおいて、
記憶要素（８，９）内に、２つ又は複数の異なったコード化アルゴリズム（Ａ１，Ａ２，…）が登録されており、その際、それぞれ使用すべきコード化アルゴリズムが、使用される識別コード送信機（１０）に対するアロケーション部内で確定可能であることを特徴とする対象モジュール。
【請求項９】
記憶要素（８，９）内に登録されたコード化アルゴリズム（Ａ１，Ａ２，…）が、プログラミングインターフェースを介して操作可能及び／又は交換可能であることを特徴とする請求項８に記載の対象モジュール。
【発明の詳細な説明】
【０００１】
本発明は、それぞれ１つの一定の対象に付設される、送信／受信装置を有する少なくとも２つの対象モジュールと、それぞれ少なくとも１つのマイクロプロセッサを備える１つ又は複数の識別コード送信機とを有するキーレスアクセス許可コントロール装置であって、それぞれ１つの双方向のデータコミュニケーションパスを介して、データが識別コード送信機と対象モジュールとの間で伝達可能であり、これらのデータが、コード化アルゴリズム並びにそれぞれの対象モジュールに付設されたコード化パラメータを使用する対称なコード化プロシージャによってコード化されているアクセス許可コントロール装置に関する。
【０００２】
更に、本発明は、このようなキーレスアクセス許可コントロール装置のための識別コード送信機並びに対象モジュールに関する。
【０００３】
キーレスアクセス許可コントロール装置は、機械的なキーによるアクセスコントロールが望まれていないところに使用される。この様式のアクセス許可コントロール装置は、例えば、自動車において、及び住宅領域内で使用される。それぞれの対象、例えば自動車又は住宅の設定に従った開放は、無線で、利用者によって携行される識別コード送信機からそれぞれ所望の対象に付設された送信／受信装置にコード化されたデータセット（短縮形：コード）と共に相応の命令を伝達することによって行なわれる。対象に結合された送信／受信装置によって、対象に属するコードが受信された場合は、識別コード送信機を携行する人がアクセス許可を受けていると見なされ、従って、引き続きアクセスを可能にするため、一定のアクチュエータが、更に自動車をロック解除するために制御される。複数のキーレスアクセス許可コントロール装置を使用する場合は、複数の識別コード送信機を携行する必要がないように、識別コード送信機及び相応のアクセス許可コントロール装置が開発されており、これらにおいては、唯一の識別コード送信機が、複数の対象、例えば、自動車、住宅及び場合によっては職場におけるアクセス許可コントロールのチェックのために利用される。
【０００４】
識別コード送信機によって、アクセス許可コントロールが複数の対象において実施することができる公知の装置は、対象に関連付けられた全ての送信／受信装置が同じコード化アルゴリズムでも作動するという原理によって作動する。この様式の装置は、おおよそ独国特許出願公開第１９５  ３３  ３０９号明細書又は独国特許第１９６  ０７  ０１７号明細書から公知である。
独国特許出願公開第１９５  ３３  ３０９号明細書の対象の場合は、伝達されるコードが、固定コード及び変換コードから成り、これらのコードの両方は、共通で自動車を開放するために送信される。このようなアクセス許可コントロール装置の枠内で、人も、住宅だけは開放を許すが、しかしながら自動車は開放を許さない識別コード送信機を装備できるようにするために、このアクセス許可コントロール装置の枠内で、１つ又は複数の別の識別コード送信機が設けられており、この識別コード送信機は、コード−変換コード−だけを送信する。
独国特許第１９６  ０７  ０１７号明細書の対象の場合は、それぞれ１つの双方向のデータコミュニケーションパスを介して、データが識別コード送信機と対象に付設された送信／受信装置との間で伝達され、その際、データは、対称なコード化プロシージャによってコード化されている。その際、伝達されるデータは、対称なコード化プロシージャを実現するために使用されるコード化アルゴリズムによって一定のコード化パラメータを使用してコード化され、その際、これらのコード化パラメータは、いわゆるコード化における機密事項としてそれぞれ応答する対象に付設されている。この装置の場合、いわゆる学習モードでの識別コード送信機とそれぞれの対象との間のコード化パラメータの調整が行なわれる。
【０００５】
これら公知の装置もしくは識別コード送信機の共通の特性は、異なった対象におけるアクセス許可に対し、１つの同じコード化アルゴリズムの使用が行なわれることである。これから結果として生じる僅かな柔軟性は、特に、例えば自動車及び住宅のような異なった平均寿命を備える対象の場合には欠点である。両方の対象の一方を交換する場合は、必ずしも、新しく付加される対象が、同じコード化アルゴリズムで作動することが保証されておらず、従って、恐らく、残っている対象に属する対象モジュールの交換も必要である。特に、更に多数の対象の場合、対象の一方を交換する際又は別の対象又は識別コード送信機を付加する際の対立は、ほとんど回避不能である。
【０００６】
これに対して、本発明による装置は、変化する境界条件への適合のための明らかに高い柔軟性を備える。何故なら、この装置の場合、最初から、少なくとも２つの異なったコード化アルゴリズムの使用が行なわれ、しかも第１の実施形では識別コード送信機において、また第２の実施形では対象モジュールの少なくとも一方（特に、例えば住宅のように最長の耐用年数を有するこの対象モジュール）において行なわるからである。これにより、例えば第１の実施形においては、対象を交換する際に識別コード送信機内で新しい対象モジュールのために他のコード化アルゴリズムを選択するか、又は必要な場合に識別コード送信機を再プログラミングすることによって古いコード化アルゴリズムを新しいコード化アルゴリズムによって置換することが可能であり、その際、残っている対象モジュール内に移植された他のコード化アルゴリズムに影響を与えることはない。第２の実施形は、特に、例えばこれまでの車両が新しい車両によって置換され、これにより、同時に新しい識別コード送信機が、古い車両に属する識別コード送信機によって置換され、その際、新しい識別コード送信機が、古い識別コード送信機とは違うコード化アルゴリズムで作動する場合に有利である。この場合、新しい識別コード送信機によって使用されるコード化アルゴリズムは、他の対象モジュール、例えば住宅の対象モジュール内で−既に記憶要素自身内に存在する場合に限って−この識別コード送信機のために起動されるか、他の場合には、再プログラミングすることによって、もはや必要でない古いコード化アルゴリズムの場所に登録され、その際、別の識別コード送信機に該当する他のコード化アルゴリズムに影響を与えることはない。
【０００７】
以下に、本発明を、添付した図と関連付けされた実施例を基にして説明する。
【０００８】
識別コード送信機１０は、キーレスアクセス許可コントロール装置の枠内で、利用者に複数の対象に対するアクセス許可を提供するために使用される。図１に図示された識別コード送信機１０は、それぞれの対象に付設された対象モジュール１，２の送信／受信装置４，５とのコミュニケーションを実施するため、またその際、アクセス許可の確認のためにコード化されたデータを双方向のデータコミュニケーションパス１４，１５を介して交換できるようにするために、必要な電気的な送信／受信手段１３を内蔵する。その際、データのコード化は、識別コード送信機１０内でも、また対象モジュール１，２内でも、マイクロプロセッサ１１，６，７によって対称なコード化プロシージャを使用して行なわれ、その際、識別コード送信機１０及びそれぞれ応答する対象モジュール１，２は、データのコード化のために同じコード化パラメータＰ１，Ｐ２を使用する。これらのコード化パラメータは、それぞれ識別コード送信機１０と対象モジュール１，２の一方との間に存在するコード化における機密事項である。識別コード送信機１０内では、それぞれの対象モジュール１，２のための記憶要素１２内に、互いに相違するコード化パラメータＰ１，Ｐ２の独立したセットが登録されている。その際、コード化パラメータＰ１，Ｐ２のそれぞれのこのセットは、コード化における機密事項の探知を阻止するために、識別コード送信機１０とそれぞれのパラメータセットを使用する対象モジュール１，２との間のデータ交換の進行に沿って、両方の側で同調して公知の方式で変更することができる。コード化パラメータＰ１，Ｐ２以外には、識別コード送信機１０の記憶要素１２内に、対称なコード化プロシージャを実施するために適した慣用の異なったコード化アルゴリズムＡ１，Ａ２，…も登録されており、その際、対象モジュール１，２毎に、それぞれ１つのコード化アルゴリズムが固定して付設されており、しかも、それぞれの対象モジュール１，２自身によっても使用されるそのコード化アルゴリズムが付設されている。識別コード送信機によってそれぞれの対象モジュールに関して使用すべきコード化アルゴリズムの固定の付設は、いわば両方の装置を「知るに至る」場合に１回の初期化工程によって行なわれる。そのそれぞれまさに有効な形でそれぞれの対象モジュール１，２にとって特徴的であるコード化パラメータＰ１，Ｐ２とは対照的に、対象モジュール１，２によって使用されるコード化アルゴリズムは、必ずしも互いに相違するわけではない。即ち、例えば絶対に、複数の対象モジュール１，２，３，…が１つの同じアルゴリズム−例えばほとんどＡ１−を使用し、一方、唯一の対称モジュールＮだけが他のアルゴリズムＡ２を使用するか、又は、似たような組合せを使用することが生じることになる。識別コード送信機１０内に、多数の慣用のアルゴリズムＡ１，Ａ２，…が登録されており、これらのアルゴリズムを、必要な場合に、例えば、新しい対象モジュールを付加する場合に、マイクロプロセッサ１１によって呼び出すことができることが重要である。識別コード送信機１０の記憶要素１２内に存在するコード化アルゴリズムＡ１，Ａ２，…のストックから、プログラミングインターフェースを介して、必要でない個々のアルゴリズムも、他の対象モジュールにとっては依然として必要なアルゴリズムに影響を与えることなく、新しいアルゴリズムによって置換することができる。
【０００９】
図２に図示された選択的な識別コード送信機１０は、ここでは唯１つのマイクロプロセッサ１１の代わりに、独立した２つのマイクロプロセッサ１１及び１１’の使用が行なわれる点に限って、図１における識別コード送信機と相違し、その際、マイクロプロセッサに付設された記憶要素１２及び１２’は、これらのマイクロプロセッサ内にそれぞれ直接統合されている。マイクロプロセッサ１１内での記憶要素１２のこの様式の統合は、当然、図１に図示された識別コード送信機１０の場合でも可能である。しかしながら、図２に示された構成は、これに対して、その記憶要素１２’内に登録された付加的なアルゴリズムを有する第２のマイクロプロセッサ１１’が、必要な場合にまた完全にハードウエアにより交換可能であり、従って、再プログラミングは、これまでには使用が行われてないアルゴリズムを使用すべきである場合でも必要ない。これに対して、そのメモリ１２を有する第１のマイクロプロセッサ１１は、識別コード送信機１０内に残っており、従って、引き続き使用される対象モジュールと関連したその機能は、交換によって影響を受けない。
【００１０】
本発明によるキーレスアクセス許可コントロール装置のこれまでに説明した第１の実施形が、いわば、異なったコード化アルゴリズムを使用する複数の対象モジュールと協働することができる普遍的な識別コード送信機から出発するのに対して、第２の実施形では、自身が異なったコード化アルゴリズムを使用する複数の識別コード送信機と協働することができる少なくとも１つの普遍的な対象モジュールが存在する。当然、最大構成にあっては、普遍的な識別コード送信機の、また普遍的な対象モジュールの同時の使用も可能である。
【図面の簡単な説明】
【図１】
第１の実施形に応じた本発明によるキーレスアクセス許可コントロール装置の概略図を示す。
【図２】
図１に図示された識別コード送信機に対する一選択肢を示す。
【符号の説明】
１，２，３，…    対象モジュール
４，５            送信／受信装置
６，７      マイクロプロセッサ
８，９            記憶要素
１０              識別コード送信機
１１，１１’      マイクロプロセッサ
１２，１２’      記憶要素
１３              送信／受信手段
１４，１５        データコミュニケーションパス
Ａ１，Ａ２，…    コード化アルゴリズム
Ｐ１，Ｐ２        コード化パラメータ
【国際公開パンフレット】
2004531660.tif 000003
2004531660.tif 000004
2004531660.tif 000005
2004531660.tif 000006
2004531660.tif 000007
2004531660.tif 000008
2004531660.tif 000009
2004531660.tif 000010
2004531660.tif 000011
2004531660.tif 000012
2004531660.tif 000013
2004531660.tif 000014
2004531660.tif 000015
2004531660.tif 000016
【国際調査報告】
2004531660.tif 000017
2004531660.tif 000018
2004531660.tif 000019
2004531660.tif 000020